(57)【要約】【課題】輸送時等に揺れたような場合においても、内部に収容した大型魚の移動を防止できるとともに、大型魚へのダメージを抑制できる構造の保冷容器を提供すること。【解決手段】保冷容器１の内部における大型魚Ｍが収容される位置に魚固定部１４，１５，２４，２５，３４，３５が設けられ、この魚固定部１４，１５，２４，２５，３４，３５における大型魚Ｍが接触する部分には、保冷容器１の前後方向の中心側が低くなるように傾斜を有する面１４ａ，１５ａ，２４ａ，２５ａ，３４ａ，３５ａを設け、大型魚Ｍの魚固定部１４，１５，２４，２５，３４，３５と接触する部分が魚固定部１４，１５，２４，２５，３４，３５の傾斜する面１４ａ，１５ａ，２４ａ，２５ａ，３４ａ，３５ａに引っ掛けられることにより、大型魚Ｍの前後方向のずれ移動を防止させる。【選択図】      図１
2006168818.tif 000002
【特許請求の範囲】
【請求項１】
発泡合成樹脂よりなる大型魚を収容するための保冷容器であって、この保冷容器の内部における大型魚が収容される位置に魚固定部が設けられ、該魚固定部における大型魚が接触する部分には、保冷容器の前後方向の中心側が低くなるように傾斜する面を有することを特徴とする保冷容器。
【請求項２】
上記魚固定部が、上記保冷容器の内部における前後に設けられていることを特徴とする請求項１に記載の保冷容器。
【請求項３】
上記魚固定部が、上記保冷容器の内部における上下に設けられていることを特徴とする請求項１又は請求項２に記載の保冷容器。
【請求項４】
上記魚固定部が、上記保冷容器の内部において大型魚の全周を囲むように設けられていることを特徴とする請求項３に記載の保冷容器。
【請求項５】
上記魚固定部が、上記保冷容器の上下方向で対向する位置に設けられていることを特徴とする請求項３又は請求項４に記載の保冷容器。
【請求項６】
上記魚固定部が、上記保冷容器の上下方向で該保冷容器の前後方向にずれた位置に設けられていることを特徴とする請求項３又は請求項４に記載の保冷容器。
【請求項７】
上記魚固定部として、上記保冷容器とは別体に形成した固定部材が上記保冷容器の内部における大型魚が収容される位置に設けられていることを特徴とする請求項１乃至請求項６のいずれかに記載の保冷容器。
【請求項８】
上記保冷容器が、上面が開口する箱状の容器本体と、この容器本体の上端に着脱自在に取り付けられる上蓋とを備え、上記容器本体は、大型魚が収容される位置に底壁から突出した状態で該容器本体の左右方向に沿って下側固定用リブを形成し、この下側固定用リブの上端に該容器本体の前後方向の中心側に低くなるよう傾斜する面を有する嵌合部を形成しており、上記上蓋は、天壁から突出した状態で該上蓋の左右方向に沿って上側固定用リブを形成し、この上側固定用リブの下端に該上蓋の前後方向の中心側に低くなるように傾斜する面を有する嵌合部を形成していることを特徴とする請求項１に記載の保冷容器。
【請求項９】
上記容器本体の下側固定用リブの嵌合部及び上記上蓋の上側固定用リブの嵌合部を、保冷容器の上下方向に円弧状に湾曲させたことを特徴とする請求項8に記載の保冷容器。
【請求項１０】
上記保冷容器が、一対の上面が開口する箱状の容器部材を備え、この容器部材は、大型魚が収容される位置に底壁から突出した状態で該容器部材の左右方向に沿って下側固定用リブを形成し、この下側固定用リブの上端に容器部材の上下方向に円弧状に湾曲し、かつ、容器本体の前後方向の中心側に低くなるよう傾斜する面を有する嵌合部を形成していることを特徴とする請求項１に記載の保冷容器。
【発明の詳細な説明】
【技術分野】
【０００１】
本発明は、例えば、マグロ、ブリ等の大型魚を輸送する際に用いられる発泡合成樹脂製の保冷容器に関する。
【背景技術】
【０００２】
例えば、マグロ、ブリ等の大型魚を保冷状態のままで輸送する際には、発泡合成樹脂製の保冷容器が用いられている。このような保冷容器として、特許文献1に開示される大型魚箱が知られている。この大型魚箱は、内部に大型魚を収容する箱本体の左右の側壁内面の前後部に、一定幅を有する左右一対のリブを箱本体の左右方向内方に向けてそれぞれ突設してなり、このリブにて箱本体内において大型魚の一部を左右から挟持するようにしている。
【０００３】
【特許文献１】実公昭５８―４１１９３号公報
【発明の開示】
【発明が解決しようとする課題】
【０００４】
しかしながら、上記大型魚箱においては、リブの大型魚との接触面が、箱本体の前後方向に沿った平面であるため、リブの接触面が大型魚の曲面状の魚体形状に沿い難く、大型魚の箱本体の前後方向へのずれ移動を十分に阻止することができない。このため、例えば、輸送の過程等で大型魚が箱本体の前後方向へずれ移動し、その頭部又は尻尾部が箱本体の前後の側壁に当たることがある。このように大型魚の頭部又は尻尾部が箱本体の前後の側壁に当たると、大型魚の頭部又は尻尾部が鋭利であるのに対し箱本体の材料である発泡合成樹脂の硬度が低いため、箱本体の前後の側壁に亀裂が発生する等の不具合があり、当該側壁が破損する虞があった。また、上記大型魚箱においては、大型魚の一部がリブのエッヂに点又は線で当接した状態で挟持されるので、生の状態で収容された大型魚が前後方向に移動しようとしたときに、大型魚の一部がリブのエッヂで強く押し付けられて大きなダメージを受けることになり、大型魚の商品価値が損なわれる虞があった。
【０００５】
本発明は、前述の問題点に鑑みてなされたもので、例えば、輸送の過程等において、内部に収容した大型魚の前後方向のずれ移動を防止できるとともに、大型魚へのダメージを抑制できる構造の保冷容器を提供することを目的とする。
【課題を解決するための手段】
【０００６】
前述した目的を達成するため、本発明の保冷容器は、発泡合成樹脂よりなる大型魚を収容するための保冷容器であって、この保冷容器の内部における大型魚が収容される位置に魚固定部が設けられ、該魚固定部における大型魚が接触する部分には、保冷容器の前後方向の中心側が低くなるように傾斜する面を有する。これにより、大型魚は上記魚固定部と接触する部分が上記魚固定部の傾斜面に面で当接した状態で引っ掛かるので、大型魚が前後方向に移動しようとしたときに、大型魚は前後方向への移動が抑制されて大型魚の前後方向のずれ移動を防止できるとともに、大型魚へのダメージも抑制できる。
【０００７】
また、本発明の保冷容器では、上記魚固定部が、上記保冷容器の内部における前後に設けられている。これにより、大型魚は前後の上記魚固定部と接触する部分が前後の上記魚固定部の傾斜面に面で当接した状態で引っ掛かるので、大型魚が前後方向に移動しようとしたときに、大型魚は前後方向の両方への移動が抑制されて大型魚の前後方向の両方のずれ移動を防止できるとともに、大型魚へのダメージも抑制できる。
【０００８】
また、本発明の保冷容器では、上記魚固定部が、上記保冷容器の内部における上下に設けられている。これにより、大型魚は上下の上記魚固定部と接触する部分が上下の上記魚固定部の傾斜面に面で当接した状態で引っ掛かるので、大型魚が前後方向に移動しようとしたときに、大型魚は前後方向への移動が抑制されて大型魚の前後方向のずれ移動を防止できるとともに、大型魚へのダメージも抑制できる。しかも、この場合、大型魚は上下の魚固定部よって上下方向への移動が抑制されるので、大型魚の前後方向のずれ移動を防止しながら上下方向の移動も防止できる。
【０００９】
また、本発明の保冷容器では、上記魚固定部が、上記保冷容器の内部において大型魚の全周を囲むように設けられている。これにより、大型魚は全周が上記魚固定部の傾斜面に面で当接した状態で引っ掛かるので、大型魚に対する引っ掛かり力が増し、大型魚が前後方向に移動しようとしたときに、大型魚は前後方向への移動が更に抑制されるようになり、大型魚の前後方向のずれ移動をより確実に防止できる。
【００１０】
また、本発明の保冷容器では、上記魚固定部が、上記保冷容器の上下方向で対向する位置に設けられている。これにより、大型魚は上下の対向する部分が上下の上記魚固定部の傾斜面に面で当接した状態で引っ掛かるので、大型魚に対する魚固定部の引っ掛かり力が増し、大型魚が前後方向に移動しようとしたときに、大型魚は前後方向への移動が更に抑制されるようになり、大型魚の前後方向のずれ移動をより確実に防止できる。
【００１１】
また、本発明の保冷容器では、上記魚固定部が、上記保冷容器の上下方向で該保冷容器の前後方向にずれた位置に設けられている。これにより、大型魚は上下の上記魚固定部と接触する部分が前後方向にずれて上下の上記魚固定部の傾斜面に面で当接した状態で引っ掛かるので、大型魚に対する魚固定部の引っ掛かり力が増し、大型魚が前後方向に移動しようとしたときに、大型魚は前後方向への移動が更に抑制されるようになり、大型魚の前後方向のずれ移動をより確実に防止できる。
【００１２】
また、本発明の保冷容器では、上記魚固定部として、上記保冷容器とは別体に形成した固定部材が上記保冷容器の内部における大型魚が収容される位置に設けられている。これにより、保冷容器を簡単な構造にして該保冷容器の製造を容易に行える。
【００１３】
また、本発明の保冷容器は、上記保冷容器が、上面が開口する箱状の容器本体と、この容器本体の上端に着脱自在に取り付けられる上蓋とを備え、上記容器本体は、大型魚が収容される位置に底壁から突出した状態で該容器本体の左右方向に沿って下側固定用リブを形成し、この下側固定用リブの上端に該容器本体の前後方向の中心側に低くなるよう傾斜する面を有する嵌合部を形成しており、上記上蓋は、天壁から突出した状態で該上蓋の左右方向に沿って上側固定用リブを形成し、この上側固定用リブの下端に該上蓋の前後方向の中心側に低くなるように傾斜する面を有する嵌合部を形成している。これにより、大型魚を容器本体に収容し、容器本体に上蓋を取り付けると、大型魚は容器本体の下側固定用リブ及び上蓋の上側固定用リブと接触する部分が下側固定用リブ及び上側固定用リブの嵌合部の傾斜面に面で当接した状態で引っ掛かり、大型魚が前後方向に移動しようとしたときに、大型魚は前後方向への移動が抑制されて大型魚の前後方向のずれ移動を防止できるとともに、大型魚へのダメージも抑制できる。
【００１４】
更に、本発明の保冷容器は、一対の上面が開口する箱状の容器部材を備え、この容器部材は、大型魚が収容される位置に底壁から突出した状態で該容器部材の左右方向に沿って下側固定用リブを形成し、この下側固定用リブの上端に容器部材の上下方向に円弧状に湾曲し、かつ、容器本体の前後方向の中心側に低くなるよう傾斜する面を有する嵌合部を形成している。これにより、大型魚は容器部材の固定用リブと接触する部分が固定用リブの嵌合部の傾斜面に面で当接した状態で引っ掛かり、大型魚が前後方向に移動しようとしたときに、大型魚は前後方向への移動が抑制されて大型魚の前後方向のずれ移動を防止できるとともに、大型魚へのダメージも抑制できる。しかも、一対の容器部材を開口部が向き合うように一方を上下反転して突き合わせることで保冷容器を成形することができので、１種類の容器部材で成形することができて製造コストを合理化できるとともに、在庫管理等も容易である。
【発明の効果】
【００１５】
本発明の保冷容器によれば、内部に収容された大型魚が前後方向にずれ移動することがないので、大型魚の鋭利な頭部又は尻尾部が当たって側壁が破損する等の不具合が防いで信頼性の向上が図れるとともに、大型魚へのダメージを抑制して大型魚の商品価値を保つことができる。
【発明を実施するための最良の形態】
【００１６】
以下、本発明を図面に示す実施形態に基づき説明する。
【００１７】
図１は、本発明に係る大型魚（例えば、マグロ、ブリ等）Ｍを収容するための直方体形状の保冷容器１を示す。この保冷容器1は、大型魚Ｍを収容する容器本体１０と、容器本体１０の上端に着脱可能に取り付けられる上蓋２０とを具備して構成される。容器本体１０及び上蓋２０は、例えば、発泡ポリスチレン、発泡ポリエチレン、発泡ポリプロピレン等の発泡合成樹脂により製作される。
【００１８】
容器本体１０は、図２に示すように、上面が開口された長方形状の箱体であり、尾ひれを切断した状態の大型魚Ｍをまるごと収容することのできる大きさに形成されている。この容器本体１０は、長方形状に形成された底壁１１と、底壁１１の両側縁に対向して立設された左右の長い側壁１２，１２と、底壁１１の両端縁に対向して立設された前後の短い側壁１３，１３とによって箱体に形成されている。
【００１９】
容器本体１０の底壁１１には、上面の前後に間隔を置いて一定幅を有する下側固定用リブ１４，１５が容器本体１０の左右方向に沿って並列に立設されている。尚、ここでいう容器本体１０の底壁１１の上面前後とは、容器本体１０に収容される大型魚Ｍの最大胴回り部を中心として、その前後となる箇所のことであり、その前後となる箇所に少なくともそれぞれ１ヶ所に下側固定用リブ１４，１５を立設する。
【００２０】
下側固定用リブ１４，１５は、容器本体１０内に収容された大型魚Ｍの下面側を固定させるものであり、前方（図中左方）の下側固定用リブ１４を大型魚Ｍの頭部に対応する位置に、後方（図中右方）の下側固定用リブ１５を大型魚Ｍの尻尾部に対応する位置になるように、容器本体１０の前後方向の中心から見て非対称の位置に設けられている。
【００２１】
下側固定用リブ１４，１５は、容器本体１０の底壁１１から突出した状態で、上端が容器本体１０の側壁１２，１２及び１３，１３の上端よりいくぶん低くなるように、容器本体１０における左右方向に沿って形成され、その両側は左右の長い側壁１２，１２に至ってその長い側壁１２，１２に連結されている。
【００２２】
前方の下側固定用リブ１４には、上端の中央部に大型魚Mの頭部を嵌合できる凹状の嵌合部１４ａが形成されている。この嵌合部１４ａは、大型魚Mの頭部に沿うように、容器本体１０の前後方向の中心側に向けて次第に大径となるテーパー状の円弧面に形成されている。即ち、前方の下側固定用リブ１４の嵌合部１４ａは、容器本体１０の前後方向の中心側が低くなるように傾斜し、かつ、容器本体１０の上下方向に湾曲する円弧面に形成されている。
【００２３】
後方の下側固定用リブ１５には、上端の中央部に凹状の嵌合部１５ａが形成されている。この嵌合部１５ａは、大型魚Ｍの尻尾部に沿うように、容器本体１０の前後方向の中心側に向けて次第に大径となるテーパー状の円弧面に形成されている。即ち、後方の下側固定用リブ１５の嵌合部１５ａは、容器本体１０の前後方向の中心側が低くなるように傾斜し、かつ、容器本体１０の上下方向に湾曲する円弧面に形成されている。従って、後方の下側固定用リブ１５の嵌合部１５ａは、前方の下側固定用リブ１４の嵌合部１４ａと傾斜が向かい合わせになるように形成されている。尚、後方の下側固定用リブ１５の嵌合部１５ａは、大型魚Ｍの尻尾部を固定するので、大型魚Ｍの頭部を固定する前方の下側固定用リブ１４の嵌合部１４ａと比べ、円弧の径及び傾斜の勾配が小さく形成されている。
【００２４】
上蓋２０は、図３に示すように、下面が開口された容器本体１０より深さが浅い長方形状の箱体であり、容器本体１０に対応する大きさに形成されている。この上蓋２０は、長方形状に形成された天壁２１と、天壁２１の両側縁に対向して垂設された左右の長い側壁２２，２２と、天壁２１の両端縁に対向して垂設された前後の短い側壁２３，２３とによって箱体に形成されている。蓋体２０の天壁２１には、下面の前後に間隔置いて一定幅を有する上側固定用リブ２４，２５が上蓋２０の左右方向に沿って並列に垂設されている。
【００２５】
上側固定用リブ２４，２５は、大型魚Ｍの上面側を固定するものであり、上蓋２０を容器本体１０に取り付けたときに、前方（図中左方）の上側固定用リブ２４が容器本体１０に収容される大型魚Ｍの頭部に対応する位置に、後方（図中右方）の上側固定用リブ２５が容器本体１０に収容される大型魚Ｍの尻尾部に対応する位置になるように、上蓋２０の前後方向の中心から見て非対称の位置で、しかも、容器本体１０の下側固定用リブ１４，１５より前後方向の中心側に外れた位置に設けられている。
【００２６】
上側固定用リブ２４，２５は、上蓋２０の天壁２１から突出した状態で、下端が上蓋２０の側壁２２，２２及び２３，２３の下端よりいくぶん高い位置になるように、上蓋２０の左右方向に沿って形成され、その両側は左右の長い側壁２２，２２に至ってその長い側壁２２，２２に連結されている。
【００２７】
前方の上側固定用リブ２４には、下端の中央部に大型魚Ｍの頭部に嵌合できる凹状の嵌合部２４ａが形成されている。この嵌合部２４ａは、大型魚Mの頭部に沿うように、上蓋２０の前後方向の中心側に向けて次第に大径となるテーパー状の円弧面に形成されている。即ち、前方の上側固定用リブ２４の嵌合部２４ａは、上蓋２０の前後方向の中心側が低くなるように傾斜し、かつ、上蓋２０の上下方向に湾曲する円弧面に形成されている。
【００２８】
後方の上側固定用リブ２５には、下端の中央部に大型魚Ｍの尻尾部に嵌合できる凹状の嵌合部２５ａが形成されている。この嵌合部２５ａは、大型魚Ｍの尻尾部に沿うように、上蓋２０の前後方向の中心側に向けて次第に大径となるテーパー状の円弧面に形成されている。即ち、後方の上側固定用リブ２５の嵌合部２５ａは、上蓋２０の前後方向の中心側が低くなるように傾斜し、かつ、上蓋２０の上下方向に湾曲する円弧面に形成されている。従って、後方の上側固定用リブ２５の嵌合部２５ａは、前方の上側固定用リブ２４の嵌合部２４ａと傾斜面が向かい合わせになるように形成されている。尚、後方の上側固定用リブ２５の嵌合部２５ａは、大型魚Ｍの尻尾部に嵌合させるので、大型魚Ｍの頭部に嵌合させる前方の上側固定用リブ２４の嵌合部２４ａと比べ、円弧の径及び傾斜の勾配が小さく形成されている。
【００２９】
上蓋２０の下端面（左右の長い側壁２２，２２及び前後の短い側壁２３，２３の下端面）には、容器本体１０の嵌合用凸条部１６に嵌合する嵌合用凸条部２６が設けられている。この嵌合用凸条部２６は、上蓋２０の下端面外縁に全周に亘って下向きに突出して形成されている。上蓋２０は、嵌合用凸条部２６を容器本体１０の嵌合用凸条部１６に嵌合することにより、容器本体１０の上端に密閉状態で着脱可能に取り付けられる。
【００３０】
上記保冷容器１を用いて大型魚Mを輸送するには、容器本体１０の内部に大型魚Ｍを収容する。その際には、大型魚Ｍの頭部を前方の下側固定用リブ１４の嵌合部１４ａに嵌合した状態で載置するとともに、大型魚Mの尻尾部を後方の下側固定用リブ１５の嵌合部１５aに嵌合した状態で載置する。この場合、大型魚Ｍの下側固定用リブ１４，１５の嵌合部１４ａ，１５ａに接触する部分が下側固定用リブ１４，１５の嵌合部１４ａ，１５ａの傾斜面に面で当接した状態で引っ掛かることになり、大型魚Ｍは前後方向への移動を抑制されるとともに、大型魚Ｍが面で当接しているので大型魚Ｍへのダメージも抑制できる。しかも、下側固定用リブ１４，１５の嵌合部１４ａ，１５ａが容器本体１０の前後方向の中心側が低くなるよう傾斜して向かい合った状態で形成されているので、大型魚Ｍは前後方向の両方のずれ移動を防止できる。
【００３１】
次に、容器本体１０の上端に上蓋２０を取り付けると、上蓋２０の天壁２１に垂設された上側固定用リブ２４，２５の嵌合部２４ａ，２５ａが大型魚Ｍの上面に嵌合し、大型魚Ｍはその頭部及び尻尾部の上蓋２０の上側固定用リブ２４，２５の嵌合部２４ａ，２５ａと接触する部分が上蓋２０の上側固定用リブ２４，２５の嵌合部２４ａ，２５ａの傾斜面に面で接触した状態で引っ掛かることになり、大型魚Ｍは前後方向への移動を更に抑制されて大型魚Ｍの前後方向のずれ移動をより確実に防止できる。
【００３２】
この保冷容器１によれば、大型魚Ｍを容器本体１０内に収容し、容器本体１０に上蓋２０を取り付けることにより、大型魚Ｍは頭部及び尾部の略全周が容器本体１０の下側固定用リブ１４，１５の嵌合部１４ａ，１５ａ及び上蓋２０の上側固定用リブ２４，２５の嵌合部２４ａ，２５ａの傾斜面に面で当接した状態で引っ掛かるので、大型魚Ｍが前後方向に移動しようとしたときに、大型魚Ｍは前後方向への移動を抑制されて大型魚Ｍの前後方向のずれ移動を防止できるとともに、大型魚Ｍが面で当接されているので大型魚Ｍへのダメージが抑制できる。従って、内部に収容された大型魚Ｍが前後方向にずれ移動することがないので、容器本体１０の前後の短い側壁１３，１３に大型魚Ｍの鋭利な頭部又は尻尾部が当たって当該側壁１３，１３が破損する等の不具合が生じない。しかも、大型魚Ｍへのダメージを抑制させるので、大型魚Ｍの商品価値を保つことができる。
【００３３】
また、保冷容器１は、容器本体１０の下側固定用リブ１４，１５が底壁１１及び左右の長い側壁１２，１２に一体に形成されているので、下側固定用リブ１４，１５にて容器本体１０の底壁１１及び左右の長い側壁１２，１２が補強され、大型魚Ｍの重量による容器本体１０の底壁１１及び左右の長い側壁１２，１２の変形を防止できる。
【００３４】
図４は、本発明の他の実施形態の保冷容器２を示す。この保冷容器２は、容器本体と上蓋とを兼ねる同一形態の一対の容器部材３０，３０で構成される。容器部材３０は、例えば、発泡ポリスチレン、発泡ポリエチレン、発泡ポリプロピレン等の発泡合成樹脂により製作される。
【００３５】
容器部材３０は、図５に示すように、上面が開口された長方形状の箱体であり、尾ひれを切断した状態の大型魚Ｍを収容することのできる大きさに形成される。この容器部材３０は、長方形状に形成された底壁３１と、底壁３１の両側縁に対向して立設された左右の長い側壁３２，３２と、底壁３１の両端縁に対向して立設された前後の短い側壁３３，３３とよって箱体に形成されている。
容器部材３０の底壁３１には、上面の前後に間隔をおいて一定幅を有する固定用リブ３４，３５が容器部材３０の左右方向に沿って並列に立設されている。尚、ここでいう容器部材３０の底壁３１の上面前後とは、容器部材３０に収容される大型魚Ｍの最大胴回り部を中心として、その前後となる箇所のことであり、その前後となる箇所に少なくともそれぞれ１ヶ所に固定用リブ３４，３５を立設する。
固定用リブ３４，３５は、容器部材３０内に収容された大型魚Ｍを下面側又は上面側から固定するものであり、前方（図中左方）の固定用リブ３４が大型魚Ｍの頭部に対応する位置に、後方（図中右方）の固定用リブ３５が大型魚Ｍの尻尾部に対応する位置になるように、容器部材３０の前後方向の中心から見て非対称の位置に設けられている。
【００３６】
固定用リブ３４，３５は、容器部材３０の底壁３１から突出した状態で、上端が容器部材３０の側壁３２，３２及び３３，３３の上端と略同一高さになるように、容器部材３０の左右方向に沿って形成され、その両側は左右の長い側壁３２，３２に至ってその長い側壁３２，３２に連結されている。
前方の固定用リブ３４には、上端の中央部に大型魚Ｍの頭部が嵌合できる嵌合部３４ａが形成されている。この嵌合部３４ａは、大型魚Ｍの頭部に沿うように、容器部材３０の前後方向の中心側に向けて次第に径が大となるテーパー状の円弧面に形成されている。即ち、前方の固定用リブ３４の嵌合部３４ａは、容器部材３０の前後方向の中心側が低くなるように傾斜し、かつ、容器部材３０の上下方向に湾曲する円弧面に形成されている。
【００３７】
後方の固定用リブ３５には、上端の中央部に大型魚Ｍの尻尾部が嵌合できる嵌合部３５ａが形成されている。この嵌合部３５ａは、大型魚Ｍの尻尾部に沿うように、容器部材３０の前後方向の中心側に向けて次第に径が大となるテーパー状の円弧面に形成されている。即ち、前方の固定用リブ３４の嵌合部３４ａは、容器部材３０の前後方向の中心側が低くなるように傾斜し、かつ、容器部材３０の上下方向に湾曲する円弧面に形成されている。従って、後方の下側固定用リブ１５の嵌合部１５ａは、前方の下側固定用リブ１４の嵌合部１４ａと傾斜面が向かい合わせになるように形成されている。
【００３８】
容器部材３０の上端面（左右の長い側壁３２，３２及び前後の短い側壁３３，３３の上端面）には嵌合用凸条部３６，３７が設けられている。この嵌合用凸条部３６，３７は、容器本体１０の上端面の各辺の半分ずつ内縁と外縁とが交互に交替するように中心点に対して点対称に形成される。容器部材３０は、例えば、発泡ポリスチレン、発泡ポリエチレン、発泡ポリプロピレン等の発泡合成樹脂により製作される。
【００３９】
上記保冷容器２は、一対の容器部材３０，３０を開口部が向き合うように一方を上下反転して突き合わせ、両容器部材３０，３０の嵌合用凸条３６，３７を互いに嵌合するようになっている。上記容器部材３０を用いて得られた保冷容器２においても、上記保冷容器１と同様、大型魚Ｍの前後方向への移動を抑制させて大型魚の前後方向のずれ移動を防止できるとともに、大型魚へのダメージを抑制できるという効果を得ることができる。
【００４０】
また、上記保冷容器２は、同一形態の一対の容器部材３０で構成されているので、上記保冷容器１のように容器本体１０と上蓋２０という２種類の部材を成形する必要がなく、１種類の金型で容器部材３０の成形できて製造コストを合理化することができるとともに、容器部材３０の在庫管理等も容易である。
【００４１】
以上、本発明を実施形態に基づき具体的に説明したが、本発明は上記実施形態に限定されるものではなく、その要旨を逸脱しない範囲で種々変更可能であることはいうまでもない。例えば、容器本体１０の下側固定用リブ１４，１５は、底壁１１及び左右の長い側壁１２，１２に一体に形成するようにしてもよいし、別体に形成してそれを容器本体１０の底壁１１及び左右の長い側壁１２，１２に嵌合、接着、溶着等で固定するようにしてもよい。容器本体１０の下側固定用リブ１４，１５を容器本体１０とは別体で形成すれば、容器本体１０を簡単な構造にして容器本体１０の製造を容易に行える。また、上蓋２０の上側固定用リブ２４，２５は、天壁２１及び左右の長い側壁２２，２２に一体に形成するようにしてもよいし、別体に形成してそれを上蓋２０の天壁２１及び左右の長い側壁２２，２２に嵌合、接着、溶着等で固定するようにしてもよい。上蓋２０の上側固定用リブ２４，２５を上蓋２０とは別体で形成すれば、上蓋２０を簡単な構造にして容上蓋２０の製造を容易に行える。更に、容器部材３０の固定用リブ３４，３５は、底壁３１及び左右の長い側壁３２，３２に一体に形成するようにしてもよいし、別体に形成してそれを容器部材３０の底壁３１及び左右の長い側壁３２，３２に嵌合、接着、溶着等で固定するようにしてもよい。容器部材３０の下側固定用リブ３４，３５を容器部材３０とは別体で形成すれば、容器部材３０を簡単な構造にして容器部材３０の製造を容易に行える。
【００４２】
また、容器本体１０の下側固定用リブ１４，１５と上蓋２０の上側固定用リブ２４，２５とは、上下方向で保冷容器１の前後方向にずれて設けるようにしてもよいし、上下方向で保冷容器１の前後方向に一致して設けるようにしてもよい。容器本体１０の下側固定用リブ１４，１５と上蓋２０の上側固定用リブ２４，２５とを上下方向で保冷容器１の前後方向にずれて設けも、大型魚Ｍをずれ移動しないようにしっかりと固定できるが、容器本体１０の下側固定用リブ１４，１５と上蓋２０の上側固定用リブ２４，２５とを上下方向で保冷容器１の前後方向に一致して設けると、大型魚に対する固定力が増して大型魚Ｍをよりしっかりと固定できる。
【００４３】
更に、容器本体１０の下側固定用リブ１４，１５は、容器本体１０の前後双方に設けるようにしてもよいし、容器本体１０の前後のいずれか一方に設けるようにしてもよい。また、上蓋２０の上側固定用リブ２４，２５は、上蓋２０の前後双方に設けるようにしてもよいし、上蓋２０の前後のいずれか一方に設けるようにしてもよい。更に、容器部材３０の固定用リブ３４，３５は、容器部材３０の前後双方に設けるようにしてもよいし、容器部材３０の前後のいずれか一方に設けるようにしてもよい。
【図面の簡単な説明】
【００４４】
【図１】本発明の実施形態の保冷容器を示した断面図である。
【図２】容器本体を示すもので、（ａ）は平面図、（ｂ）は（ａ）のＡ−Ａ線断面図、（ｃ）は（ａ）のＢ−Ｂ線断面図である。
【図３】上蓋を示すもので、（ａ）は底面図、（ｂ）は（ａ）のＣ−Ｃ線断面図、（ｃ）は（ａ）のＤ−Ｄ線断面図である。
【図４】本発明の他の実施形態の保冷容器を示すもので、（ａ）は大型魚を収容した状態の断面図、（ｂ）は大型魚を収容しない状態の（ａ）のＥ−Ｅ線断面図である。
【図５】図５の保冷容器に使用する容器部材をしめすもので、（ａ）は平面図、（ｂ）は（ａ）のＦ−Ｆ線断面図、（ｃ）のＧ−Ｇ線断面図である。
【符号の説明】
【００４５】
Ｍ…大型魚、１…保冷容器、１０…容器本体、１１…底壁、１２，１２…左右の長い側壁、１３，１３…前後の短い側壁、１４，１５…下側固定用リブ、１４ａ，１５ａ…嵌合部、１６…嵌合用凸条、２０…上蓋、２１…天壁、２２，２２…左右の長い側壁、２３，２３…前後の短い側壁、２４，２５…上側固定用リブ、２４ａ，２５ａ…嵌合部、２６…嵌合用凸条、３０…容器部材、３１…底壁、３２，３２…左右の長い側壁、３３，３３…前後の短い側壁、３４，３５…固定用リブ、３４ａ，３５ａ…嵌合部、３６，３７…嵌合用凸条
【図１】
2006168818.tif 000003
【図２】
2006168818.tif 000004
【図３】
2006168818.tif 000005
【図４】
2006168818.tif 000006
【図５】
2006168818.tif 000007